【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
異物検出器と繊維フロックが相互に対して相対的に移動可能であり、異物検出器が電磁波または光線のためのトランスミッタ及びレシーバからなり、繊維フロックから異物を区別するための評価装置を備え、紡績準備において繊維のベールから取り出される（開繊される）例えばコットンの繊維フロックの中からポリプロピレンバンド、布、フィルム等のプラスチック材料の異物を検出するための装置において、少なくとも１台の検出装置（２１、４６）（カメラ）と協働する偏光源（４１、４２）が繊維材料（１９、３３）（繊維フロック、繊維フロックウェブ）に作用し、前記繊維材料（１９、３３）がプラスチック材料の明るい及び／又は透明な薄板状異物（３５）を通過する偏光によって照射され、検出装置（４５、４６）が繊維状プラスチック部分（合成繊維）から薄板状異物（３５）を区別できることを特徴とする装置。
【請求項２】
前記プラスチック材料の異物が偏光の偏光ベクトルを回転させることを特徴とする請求項１に記載の装置。
【請求項３】
前記偏光が直線偏光であることを特徴とする請求項１または２に記載の装置。
【請求項４】
前記偏光が円偏光であることを特徴とする請求項１または２に記載の装置。
【請求項５】
前記偏光が楕円偏光であることを特徴とする請求項１または２に記載の装置。
【請求項６】
前記偏光源及び前記検出装置が前記繊維フロックの異なる側に配列されること（透過光配列）を特徴とする請求項１から５のいずれか１項に記載の装置。
【請求項７】
前記偏光源及び前記検出装置が前記繊維フロックの同じ側に配列されること（入射光配列）を特徴とする請求項１から５のいずれか１項に記載の装置。
【請求項８】
検出のために減偏光が行われることを特徴とする請求項１から７のいずれか１項に記載の装置。
【請求項９】
検出のために反射抑制が行われることを特徴とする請求項１から８のいずれか１項に記載の装置。
【請求項１０】
プラスチック材料の前記異物が、光を前記検出装置の検光子によって可視的にするように異方性（複屈折など）によって前記偏光を変化させることを特徴とする請求項１から９のいずれか１項に記載の装置。
【請求項１１】
前記繊維材料がガラスのまたはこれと同様のチャネル内に配列されることを特徴とする請求項１から１０のいずれか１項に記載の装置。
【請求項１２】
前記繊維材料が空気圧によってチャネル内を移送されることを特徴とする請求項１から１１のいずれか１項に記載の装置。
【請求項１３】
前記繊維材料がコンベアベルト上に配列されることを特徴とする請求項１から１２のいずれか１項に記載の装置。
【請求項１４】
前記繊維材料がローラ、例えばデタッチングローラに配列されることを特徴とする請求項１から１３のいずれか１項に記載の装置。
【請求項１５】
前記ローラが高速で回転することを特徴とする請求項１４に記載の装置。
【請求項１６】
バックグラウンドが拡散性であることを特徴とする請求項１から１５のいずれか１項に記載の装置。
【請求項１７】
バックグラウンドが反射性であることを特徴とする請求項１から１５のいずれか１項に記載の装置。
【請求項１８】
バックグラウンドが鏡面状であることを特徴とする請求項１から１５のいずれか１項に記載の装置。
【請求項１９】
バックグラウンドが発光性であることを特徴とする請求項１から１５のいずれか１項に記載の装置。
【請求項２０】
前記検出装置がラインスキャンカメラであることを特徴とする請求項１から１９のいずれか１項に記載の装置。
【請求項２１】
前記検出装置がマトリクスカメラであることを特徴とする請求項１から１９のいずれか１項に記載の装置。
【請求項２２】
前記検出装置が光センサであることを特徴とする請求項１から１９のいずれか１項に記載の装置。
【請求項２３】
検出がカラーで行われることを特徴とする請求項１から２２のいずれか１項に記載の装置。
【請求項２４】
検出が白黒で行われることを特徴とする請求項１から２２のいずれか１項に記載の装置。
【請求項２５】
偏光子が光源と繊維材料との間に配列されることを特徴とする請求項１から２４のいずれか１項に記載の装置。
【請求項２６】
偏光を発する光源が存在することを特徴とする請求項２５に記載の装置。
【請求項２７】
偏光子が光源にまたは光源内に組み入れられることを特徴とする請求項２６に記載の装置。
【請求項２８】
検光子が繊維材料と検出装置との間に配列されることを特徴とする請求項１から２７のいずれか１項に記載の装置。
【請求項２９】
検光子としても作用する検出器が存在することを特徴とする請求項２８に記載の装置。
【請求項３０】
検光子が検出器にまたは検出器内に組み入れられることを特徴とする請求項２９に記載の装置。
【請求項３１】
光反射素子がレイパスに配列されることを特徴とする請求項１から３０のいずれか１項に記載の装置。
【請求項３２】
光屈折素子がレイパスに配列されることを特徴とする請求項１から３１のいずれか１項に記載の装置。
【請求項３３】
素子として鏡が使用されることを特徴とする請求項３１または３２に記載の装置。
【請求項３４】
素子としてプリズムが使用されることを特徴とする請求項３１または３２に記載の装置。
【請求項３５】
素子としてレンズが使用されることを特徴とする請求項３１または３２に記載の装置。
【請求項３６】
異物を除去するための除去装置が評価装置の下流に配列されることを特徴とする請求項１から３５のいずれか１項に記載の装置。
【請求項３７】
評価装置及び除去装置が制御装置または切替装置によって相互に電気接続されることを特徴とする請求項３６に記載の装置。
【請求項３８】
ベールオープナの下流に配列されることを特徴とする請求項１から３７のいずれか１項に記載の装置。
【請求項３９】
クリーナに配列されることを特徴とする請求項１から３７のいずれか１項に記載の装置。
【請求項４０】
クリーナの下流に配列されることを特徴とする請求項１から３７のいずれか１項に記載の装置。
【請求項４１】
カードに配列されることを特徴とする請求項１から３７のいずれか１項に記載の装置。
【請求項４２】
カードの下流に配列されることを特徴とする請求項１から３７のいずれか１項に記載の装置。
【請求項４３】
異種繊維分離機内に配列されることを特徴とする請求項１から３７のいずれか１項に記載の装置。
【請求項４４】
異種繊維分離機の下流に配列されることを特徴とする請求項１から３７のいずれか１項に記載の装置。
【請求項４５】
異物分離機内に配列されることを特徴とする請求項１から３７のいずれか１項に記載の装置。
【請求項４６】
異物分離機の下流に配列されることを特徴とする請求項１から３７のいずれか１項に記載の装置。
【請求項４７】
検出のために異物の複屈折効果など異方性が使用されることを特徴とする請求項１から４６のいずれか１項に記載の装置。
【請求項４８】
検出のために異物の選択的吸収性向（二色性）が使用されることを特徴とする請求項１から４７のいずれか１項に記載の装置。
【請求項４９】
検出のために異物の光学活性性向（回転分散）が使用されることを特徴とする請求項１から４８のいずれか１項に記載の装置。
【請求項５０】
検出装置がその分解能に基づいて繊維状異物からシート状異物を区別できることを特徴とする請求項１から４９のいずれか１項に記載の装置。